(57)【要約】 【構成】複数の短冊状の研磨部材を備え、この研磨部材の中心に回転軸を設け、この回転軸を回転させることによって研磨部材を回転し、その先端縁によってワークを研磨する研磨用バフホイールにおいて、研磨部材は研磨布を折り巻きして短冊状にしたものである。【効果】研磨部材の断面積が従来よりも大きくなり、この結果、回転した際に従来よりも揺れにくく水平状に回転しやすく、ワークを力強く研磨しやすいものである。その上、研磨部材の側端縁が湾曲状になっているため、ワークに衝突した際にクッション機能を奏し、ワークを傷つけにくいものである。ワークを傷つけにくい状態で力強く研磨することができる。【選択図】      図１
2014024140.tif 000002
【特許請求の範囲】
【請求項１】
複数の短冊状の研磨部材を備え、この研磨部材の中心に回転軸を設け、この回転軸を回転させることによって前記研磨部材を回転し、その先端縁によってワークを研磨する研磨用バフホイールにおいて、前記研磨部材は研磨布を折り巻きして短冊状にしたことを特徴とする研磨用バフホイール。
【請求項２】
前記研磨布の折り巻きは、前記研磨布を筒状に巻き、押し潰すことによって形成することを特徴とする請求項１の研磨用バフホイール。
【請求項３】
前記折り巻きした研磨部材の先端縁の横断面は僅かに楕円状であることを特徴とする請求項１又は請求項２の研磨用バフホイール。
【請求項４】
前記研磨部材の先端縁は、研磨布の織り目がバイアス状になっていることを特徴とする請求項１，請求項２又は請求項３の研磨用バフホイール。
【請求項５】
前記回転軸はボルト状であり、前記研磨部材を貫通していることを特徴とする請求項1，請求項２，請求項３又は請求項４の研磨用バフホイール。
【発明の詳細な説明】
【技術分野】
【０００１】
この発明は研磨用バフホイールに関し、ワークを細部まで研磨する際に使用されるものである。
【背景技術】
【０００２】
従来におけるこの種の研磨用バフホイールにおいては、複数の短冊状の研磨部材を備え、この研磨部材の中心に回転軸を設け、この回転軸を回転させることによって前記研磨部材をプロペラ状に回転し、その先端縁によってワークを細部にわたってまで研磨していた。
【０００３】
【特許文献１】実登録第３０２６３３９号公報
【発明の開示】
【発明が解決しようとする課題】
【０００４】
しかしながら、かかる従来の研磨用にあっては、前記研磨布部材が短冊状に切断された一枚の研磨布から構成されていたため、回転した際に揺れやすい結果ワークを力強く研磨しにくく、その上、前記研磨部材の側端縁がワークに衝突して、ワークを傷つけやすいという不都合を有した。
【０００５】
これらの不都合を解消することがこの発明の課題である。
【課題を解決するための手段】
【０００６】
前記課題を達成するために、この発明に係る研磨用バフホイールにおいては、複数の短冊状の研磨部材を備え、この研磨部材の中心に回転軸を設け、この回転軸を回転させることによって前記研磨部材を回転し、その先端縁によってワークを研磨する研磨用バフホイールにおいて、前記研磨部材は研磨布を折り巻きして短冊状にしたものである。
【０００７】
この場合、前記研磨布の折り巻きを、前記研磨布を筒状に巻き、押し潰すことによって形成することもできる。
【０００８】
また、前記折り巻きした研磨部材の先端縁の横断面は僅かに楕円状にすることもできる。
【０００９】
また、前記研磨部材の先端縁は、研磨布の織り目をバイアス状にすることもできる。
【００１０】
なお、前記回転軸をボルト状にし、前記研磨部材を貫通させることもできる。
【発明の効果】
【００１１】
この発明に係る研磨用バフホイールは上記のように構成されているため、即ち、複数の短冊状の研磨部材を備え、この研磨部材の中心に回転軸を設け、この回転軸を回転させることによって前記研磨部材を回転し、その先端縁によってワークを研磨する研磨用バフホイールにおいて、前記研磨部材は研磨布を折り巻きして短冊状にしたため、前記研磨部材の断面積が従来よりも大きくなり、この結果、回転した際に従来よりも揺れにくく水平状に回転しやすく、ワークを力強く研磨しやすいものである。その上、前記研磨部材の側端縁が湾曲状になっているため、ワークに衝突した際にクッション機能を奏し、ワークを傷つけにくいものである。
【００１２】
よって、この研磨用バフホイールを使用すれば、ワークを傷つけにくい状態で力強く研磨することができる。
【００１３】
この場合、前記研磨布の折り巻きを、前記研磨布を筒状に巻き、押し潰すことによって形成すれば、前記研磨布の折り巻きを容易に形成できる。
【００１４】
また、前記折り巻きした研磨部材の先端縁の横断面を僅かに楕円状にすれば、前記研磨部材の断面積は更に大きくなるため、ワークをより一層力強く研磨しやすいものである。その上、前記研磨部材の側端縁の湾曲状の曲率は小さくなるため、ワークに衝突した際にクッション機能は更に大きくなり、ワークをより一層傷つけにくいものである。
【００１５】
また、前記研磨部材の先端縁は、研磨布の織り目をバイアス状にすれば、研磨布の織り糸の先端が前記研磨部材の先端縁に常に露出しており、ワークを恰も研磨糸の先端面で磨いているかのような効果を奏することができる。
【００１６】
なお、前記回転軸をボルト状にし、前記研磨部材を貫通させれば、チャックを介して電動ドリル等の駆動軸に連結しやすくなるため、この研磨用バフホイールの使用がしやすいものである。
【発明を実施するための最良の形態】
【００１７】
この発明に係る研磨用バフホイールは実施するにあたって下記の構成に最も主要な特徴を有する。
【００１８】
「研磨布を折り巻きして短冊状にする」とは、研磨布を平らに折ながら巻いていくことである。この場合、「研磨布」は通常の研磨布が該当する。
【００１９】
「研磨布の折り巻き」をするにあたって、前記研磨布を筒状に巻き、押し潰すことによって短冊状に「折り巻き」形成することもできる。
【００２０】
「折り巻きした研磨部材の先端縁の横断面を僅かに楕円状にすることが望ましい。
【００２１】
「研磨部材の先端縁」は、研磨布の織り目をバイアス状にすることが望ましい。
【００２２】
「回転軸」はボルト状にして、前記研磨部材を貫通させることが望ましい。
【実施例】
【００２３】
以下、この発明の実施例を図面に基づいて説明する。
【００２４】
図１はこの発明に係る研磨用バフホイールの斜視図、図２は図１におけるII矢視図、図３は研磨部材の先端縁の他の実施例の斜視図である。
【００２５】
図１及び図２において、Ａはこの発明に係る研磨用バフホイール、１０，１０，…は複数の短冊状の研磨部材である。これらの研磨部材１０，１０，…は中心部において交差している。
【００２６】
２０は回転軸であり、前記研磨部材１０，１０，…は中心部を貫通している。この回転軸２０はボルト状をしている。２１は係止金具であり、前記回転軸２０の先端にカシメ固定されている。この係止金具２１によって前記研磨部材１０，１０，…を支え、ワッシャ２２を介してナット２３，２３締め（ダブルナット構造）することによって、前記研磨部材１０，１０，…は前記回転軸２０に固定される。この回転軸２０にチャックを介して電動ドリル等の駆動軸に連結して、前記研磨部材１０，１０，…をプロペラ状に回転してその先端縁によってワークを研磨する。
【００２７】
次に、前記研磨部材１０は研磨布３０を短冊状に折り巻きすることによって形成される。この研磨布３０は通常使用しているものが該当する。「折り巻きする」とは、研磨布を平らに折ながら巻いていくことであるが、前記研磨布を筒状に巻き、押し潰すことによって短冊状に「折り巻きする」こともできる。
【００２８】
前記「折り巻く」場合、研磨布３０を平らな研磨布３０を一旦半分に折り、この状態で隅から巻いていくこともできるし（図１の状態）、図３に示すように、研磨布３０を平らにした状態で隅から巻いていくこともできる。
【００２９】
この場合、前記折り巻きした研磨部材１０の先端縁の横断面を僅かに楕円状にすることもできる。
【００３０】
また、前記研磨部材１０の先端縁は、研磨布３０の織り目３１，３１，…がバイアス状になっている。
【産業上の利用可能性】
【００３１】
この発明に係る研磨用バフホイールは、前記研磨部材の断面積が従来よりも大きくなり、この結果、回転した際に従来よりも揺れにくく水平状に回転しやすく、ワークを力強く研磨しやすいものである。その上、前記研磨部材の側端縁が湾曲状になっているため、ワークに衝突した際にクッション機能を奏し、ワークを傷つけにくいものである。ワークを傷つけにくい状態で力強く研磨することができる。産業上の利用可能性は高いものである。
【図面の簡単な説明】
【００３２】
【図１】図１はこの発明に係る研磨用バフホイールの斜視図である。
【図２】図２は図１におけるII矢視図である。
【図３】図３は研磨部材の先端縁の他の実施例の斜視図である。
【符号の説明】
【００３３】
Ａ    …  研磨用バフホイール
１０  …  研磨部材
２０  …  回転軸
２１  …  係止金具
２２  …  ワッシャ
２３  …  ナット
３０  …  研磨布
３１  …  織り目
【図１】
2014024140.tif 000003
【図２】
2014024140.tif 000004
【図３】
2014024140.tif 000005